(57)【特許請求の範囲】
【請求項１】
第１の信号を増幅し、増幅後の第１の信号を出力するキャリア増幅器と、
非線形の出力容量を有しており、第２の信号を増幅し、増幅後の第２の信号を出力するピーク増幅器と、
前記キャリア増幅器から出力された第１の信号を伝送する第１の出力回路と、
前記ピーク増幅器が増幅動作しない場合に仮想的なショートスタブとして機能し、前記ピーク増幅器から出力された第２の信号を伝送する第２の出力回路と、
前記第１の出力回路により伝送された第１の信号と前記第２の出力回路により伝送された第２の信号とを合成し、前記第１の信号と前記第２の信号との合成信号を出力する合成回路とを備え、
前記ピーク増幅器が増幅動作する際に、前記第２の出力回路は、前記ピーク増幅器から前記合成回路を見たインピーダンスを誘導性の領域のインピーダンスに変成し、
前記第１の出力回路は、前記ピーク増幅器が増幅動作しない場合に、前記キャリア増幅器の出力側から見たときに、前記第２の出力回路のリアクタンス性を補償する、９０度未満の電気長を有し、
前記第２の出力回路は、９０度よりも大きく、１８０度よりも小さい電気長を有していることを特徴とするドハティ増幅器。
【請求項２】
第１の信号を増幅し、増幅後の第１の信号を出力するキャリア増幅器と、
非線形の出力容量を有しており、第２の信号を増幅し、増幅後の第２の信号を出力するピーク増幅器と、
前記キャリア増幅器から出力された第１の信号を伝送する第１の出力回路と、
前記ピーク増幅器が増幅動作しない場合に仮想的なショートスタブとして機能し、前記ピーク増幅器から出力された第２の信号を伝送する第２の出力回路と、
前記第１の出力回路により伝送された第１の信号と前記第２の出力回路により伝送された第２の信号とを合成し、前記第１の信号と前記第２の信号との合成信号を出力する合成回路とを備え、
前記ピーク増幅器が増幅動作する際に、前記第２の出力回路は、前記ピーク増幅器から前記合成回路を見たインピーダンスを誘導性の領域のインピーダンスに変成し、
前記第１の出力回路は、前記ピーク増幅器が増幅動作しない場合に、前記キャリア増幅器の出力側から見たときに、前記第２の出力回路のリアクタンス性を補償する、９０度未満の電気長を有し、
前記第２の出力回路は、左手系で−９０度よりも大きく、０度よりも小さい電気長を有していることを特徴とするドハティ増幅器。 
【請求項３】
第１の信号を増幅し、増幅後の第１の信号を出力するキャリア増幅器と、
非線形の出力容量を有しており、第２の信号を増幅し、増幅後の第２の信号を出力するピーク増幅器と、
前記キャリア増幅器から出力された第１の信号を伝送する第１の出力回路と、
前記ピーク増幅器が増幅動作しない場合に仮想的なショートスタブとして機能し、前記ピーク増幅器から出力された第２の信号を伝送する第２の出力回路と、
前記第１の出力回路により伝送された第１の信号と前記第２の出力回路により伝送された第２の信号とを合成し、前記第１の信号と前記第２の信号との合成信号を出力する合成回路とを備え、
前記ピーク増幅器が増幅動作する際に、前記第２の出力回路は、前記ピーク増幅器から前記合成回路を見たインピーダンスを誘導性の領域のインピーダンスに変成し、
前記第１の出力回路は、前記ピーク増幅器が増幅動作しない場合に、前記キャリア増幅器の出力側から見たときに、前記第２の出力回路のリアクタンス性を補償する、９０度未満の電気長を有し、
前記第２の出力回路は、左手系で−９０度よりも大きく、０度よりも小さい電気長を有し、かつ左手系のフィルタ回路を有することを特徴とするドハティ増幅器。 
【請求項４】
前記ピーク増幅器は、自己の非線形の出力容量によって、前記ピーク増幅器から前記合成回路を見たインピーダンスの誘導性の成分を減らすことを特徴とする請求項１から請求項３のうちのいずれか１項記載のドハティ増幅器。
【請求項５】
前記ピーク増幅器の飽和出力電力が、前記キャリア増幅器の飽和出力電力よりも大きいことを特徴とする請求項１から請求項４のうちのいずれか１項記載のドハティ増幅器。
【請求項６】
前記キャリア増幅器の出力インピーダンスを前記第１の出力回路のインピーダンスに変換する第１の出力整合回路と、
前記ピーク増幅器の出力インピーダンスを前記第２の出力回路のインピーダンスに変換する第２の出力整合回路とを備えたことを特徴とする請求項１から請求項５のうちのいずれか１項記載のドハティ増幅器。
【請求項７】
前記合成回路と負荷との間に挿入されており、
前記ピーク増幅器が停止しているときに、前記キャリア増幅器により増幅される第１の信号の周波数が、前記周波数の中心周波数よりも低域側にずれていれば、前記合成回路から前記負荷を見たインピーダンスを容量性の領域のインピーダンスに変成し、前記中心周波数よりも高域側にずれていれば、前記合成回路から前記負荷を見たインピーダンスを誘導性の領域のインピーダンスに変成する広帯域化回路を備えたことを特徴とする請求項１から請求項６のうちのいずれか１項記載のドハティ増幅器。
【請求項８】
前記第１の出力回路と前記合成回路との間に挿入され、１８０度の整数倍の電気長を有する第１の伝送線路と、
前記第２の出力回路と前記合成回路との間に挿入され、１８０度の整数倍の電気長を有する第２の伝送線路とを備えたことを特徴とする請求項１から請求項７のうちのいずれか１項記載のドハティ増幅器。
【請求項９】
通信用信号として、第１の信号及び第２の信号のそれぞれを増幅する増幅器として、請求項１から請求項８のうちのいずれか１項記載のドハティ増幅器を備えることを特徴とする通信装置。
【発明の詳細な説明】
【技術分野】
【０００１】
この発明は、ドハティ増幅器及び通信装置に関するものである。
【背景技術】
【０００２】
キャリア増幅器の飽和出力電力とピーク増幅器の飽和出力電力とが同じである一般的なドハティ増幅器では、動作原理上、飽和出力電力よりも低い電力を出力しているときの効率ピーク点が、飽和出力電力からのバックオフ量が６ｄＢである点に現れる。
以下の特許文献１には、飽和出力電力からのバックオフ量が６ｄＢよりも大きいときに、効率ピーク点が現れるようにすることで、入力信号の信号レベルが小さいときの効率を高めているドハティ増幅器が開示されている。【０００３】
特許文献１に開示されているドハティ増幅器では、キャリア増幅器の出力側に第１の位相線路が接続されている。
また、特許文献１に開示されているドハティ増幅器では、ピーク増幅器の入力側に第２の位相線路が接続され、ピーク増幅器の出力側に第３の位相線路が接続されている。
特許文献１に開示されているドハティ増幅器では、入力信号の信号レベルが小さいとき、キャリア増幅器の出力側のインピーダンス基準点から出力側を見たインピーダンスが２Ｒ＋αとなるように、第１及び第３の位相線路の電気長が設定されている。また、第２の位相線路の電気長が、第１の位相線路の電気長と第３の位相線路の電気長との差に設定されている。Ｒは負荷抵抗、αは正の値である。
【先行技術文献】
【特許文献】
【０００４】
【特許文献１】国際公開第２００７／０１５４６２号
【発明の概要】
【発明が解決しようとする課題】
【０００５】
特許文献１に開示されているピーク増幅器が、飽和出力電力よりも低い電力を出力しているときには、ピーク増幅器から出力合成点を見たインピーダンスが容量性の領域のインピーダンスに変成される。また、容量性の領域に変成されたインピーダンスは、ピーク増幅器の出力容量によって、さらに容量性の成分が大きくなり、実軸からの距離が大きくなる。
したがって、特許文献１に開示されているピーク増幅器が、飽和出力電力よりも低い電力を出力しているときには、ドハティ増幅器の効率が劣化してしまうことがあるという課題があった。【０００６】
この発明は上記のような課題を解決するためになされたもので、ピーク増幅器が飽和出力電力よりも低い電力を出力しているときの効率の劣化を防ぐことができるドハティ増幅器及び通信装置を得ることを目的とする。
【課題を解決するための手段】
【０００７】
この発明に係るドハティ増幅器は、第１の信号を増幅し、増幅後の第１の信号を出力するキャリア増幅器と、非線形の出力容量を有しており、第２の信号を増幅し、増幅後の第２の信号を出力するピーク増幅器と、キャリア増幅器から出力された第１の信号を伝送する第１の出力回路と、ピーク増幅器が増幅動作しない場合に仮想的なショートスタブとして機能し、ピーク増幅器から出力された第２の信号を伝送する第２の出力回路と、第１の出力回路により伝送された第１の信号と第２の出力回路により伝送された第２の信号とを合成し、第１の信号と第２の信号との合成信号を出力する合成回路とを備え、ピーク増幅器が増幅動作する際に、第２の出力回路は、ピーク増幅器から合成回路を見たインピーダンスを誘導性の領域のインピーダンスに変成し、第１の出力回路は、ピーク増幅器が増幅動作しない場合に、キャリア増幅器の出力側から見たときに、第２の出力回路のリアクタンス性を補償する、９０度未満の電気長を有し、第２の出力回路は、９０度よりも大きく、１８０度よりも小さい電気長を有しているものである。
【発明の効果】
【０００８】
この発明によれば、ピーク増幅器が増幅動作する際に、第２の出力回路が、ピーク増幅器から合成回路を見たインピーダンスを誘導性の領域のインピーダンスに変成するように、ドハティ増幅器を構成した。したがって、この発明に係るドハティ増幅器は、ピーク増幅器が飽和出力電力よりも低い電力を出力しているときの効率の劣化を防ぐことができる。
【図面の簡単な説明】
【０００９】
【図１】実施の形態１に係るドハティ増幅器１を備える通信装置を示す構成図である。
【図２】実施の形態１に係るドハティ増幅器１を示す構成図である。
【図３】ドハティ増幅器１のバックオフ時動作を示す説明図である。
【図４】ドハティ増幅器１のバックオフ時動作での負荷変成を示す説明図である。
【図５】ピーク増幅器１８が飽和出力電力よりも低い電力を出力しているときのドハティ増幅器１の動作を示す説明図である。
【図６】ピーク増幅器１８が飽和出力電力よりも低い電力を出力しているときのドハティ増幅器１の負荷変成を示す説明図である。
【図７】実施の形態１に係るドハティ増幅器１の効率と、特許文献１に記載のドハティ増幅器１の効率とのシミュレーション結果を示す説明図である。
【図８】ドハティ増幅器１のバックオフ時動作を示す説明図である。
【図９】ドハティ増幅器１のバックオフ時動作での負荷変成を示す説明図である。
【図１０】ピーク増幅器１８が飽和出力電力よりも低い電力を出力しているときのドハティ増幅器１の動作を示す説明図である。
【図１１】ピーク増幅器１８が飽和出力電力よりも低い電力を出力しているときのドハティ増幅器１の負荷変成を示す説明図である。
【図１２】実施の形態３に係るドハティ増幅器１を示す構成図である。
【図１３】実施の形態４に係るドハティ増幅器１を示す構成図である。
【図１４】ドハティ増幅器１のバックオフ時動作を示す説明図である。
【図１５】ドハティ増幅器１のバックオフ時動作での負荷変成を示す説明図である。
【図１６】実施の形態５に係るドハティ増幅器１を示す構成図である。
【図１７】実施の形態６に係るドハティ増幅器１を示す構成図である。
【発明を実施するための形態】
【００１０】
以下、この発明をより詳細に説明するために、この発明を実施するための形態について、添付の図面に従って説明する。
【００１１】
実施の形態１．
図１は、実施の形態１に係るドハティ増幅器１を備える通信装置を示す構成図である。
図１において、ドハティ増幅器１は、通信用信号を第１の信号と第２の信号とに分配し、第１の信号及び第２の信号のそれぞれを増幅する。
【００１２】
図２は、実施の形態１に係るドハティ増幅器１を示す構成図である。
図２において、入力端子１１は、通信信号が入力される端子である。
入力整合回路１２は、例えば、集中定数素子を用いている回路、分布定数線路を用いている回路、集中定数と分布定数とが組み合わされている回路、コイルとコンデンサとを用いているＬ−Ｃ型整合回路、又は、４分の１波長線路によって実現される。
入力整合回路１２の一端は、入力端子１１と接続されており、入力整合回路１２の他端は、分配器１３の入力端子１３ａと接続されている。
入力整合回路１２は、入力端子１１のインピーダンスを分配器１３の入力インピーダンスに変換し、入力端子１１から入力された通信信号を分配器１３に出力する。
【００１３】
分配器１３は、例えば、ウィルキンソン分配器又はハイブリッド回路によって実現される。
分配器１３の入力端子１３ａは、入力整合回路１２の他端と接続されている。
分配器１３の出力端子１３ｂは、位相補正回路１４の一端と接続され、分配器１３の出力端子１３ｃは、入力整合回路１６の一端と接続されている。
分配器１３は、入力整合回路１２から出力された通信信号を第１の信号と第２の信号とに分配して、出力端子１３ｂから第１の信号を位相補正回路１４の出力し、出力端子１３ｃから第２の信号を入力整合回路１６に出力する。
【００１４】
位相補正回路１４は、例えば、集中定数素子を用いている回路、分布定数線路を用いている回路、集中定数と分布定数とが組み合わされている回路、Ｌ−Ｃ型整合回路、又は、４分の１波長線路によって実現される。
位相補正回路１４は、分配器１３の出力端子１３ｂから合成回路２４の合成点２５までの、キャリア増幅器１７側の経路の電気長と、分配器１３の出力端子１３ｃから合成点２５までの、ピーク増幅器１８側の経路の電気長とを同じ電気長に揃える回路である。
ただし、キャリア増幅器１７側の経路の電気長と、ピーク増幅器１８側の経路の電気長とは、厳密に同じ電気長であるものに限るものではなく、実用上問題のない範囲で、キャリア増幅器１７側の経路の電気長と、ピーク増幅器１８側の経路の電気長とが異なっていてもよい。
【００１５】
入力整合回路１５は、例えば、集中定数素子を用いている回路、分布定数線路を用いている回路、集中定数と分布定数とが組み合わされている回路、Ｌ−Ｃ型整合回路、又は、４分の１波長線路によって実現される。
入力整合回路１５の一端は、位相補正回路１４の他端と接続されており、入力整合回路１５の他端は、キャリア増幅器１７の入力端子１７ａと接続されている。
入力整合回路１５は、位相補正回路１４のインピーダンスをキャリア増幅器１７の入力インピーダンスに変換し、位相補正回路１４から出力された第１の信号をキャリア増幅器１７の入力端子１７ａに出力する。
【００１６】
入力整合回路１６は、例えば、集中定数素子を用いている回路、分布定数線路を用いている回路、集中定数と分布定数とが組み合わされている回路、Ｌ−Ｃ型整合回路、又は、４分の１波長線路によって実現される。
入力整合回路１６の一端は、分配器１３の出力端子１３ｃと接続されており、入力整合回路１６の他端は、ピーク増幅器１８の入力端子１８ａと接続されている。
入力整合回路１６は、分配器１３の出力端子１３ｃのインピーダンスをピーク増幅器１８の入力インピーダンスに変換し、分配器１３の出力端子１３ｃから出力された第２の信号をピーク増幅器１８の入力端子１８ａに出力する。
【００１７】
キャリア増幅器１７は、例えば、ＦＥＴ（Ｆｉｅｌｄ  Ｅｆｆｅｃｔ  Ｔｒａｎｓｉｓｔｏｒ）、ＨＢＴ（Ｈｅｔｅｒｏｊｕｎｃｔｉｏｎ  Ｂｉｐｏｌａｒ  Ｔｒａｎｓｉｓｔｏｒ）又はＨＥＭＴ（Ｈｉｇｈ  Ｅｌｅｃｔｒｏｎ  Ｍｏｂｉｌｉｔｙ  Ｔｒａｎｓｉｓｔｏｒ）によって実現される。
図２に示すドハティ増幅器１では、キャリア増幅器１７が、ソース接地のトランジスタである例を示している。キャリア増幅器１７の入力端子１７ａであるゲート端子は、入力整合回路１５の他端と接続されており、キャリア増幅器１７の出力端子１７ｂであるドレイン端子は、第１の出力回路１９の一端と接続されている。第１の出力回路１９については、後述する。
【００１８】
キャリア増幅器１７の入力端子１７ａは、Ａ級からＢ級の間でバイアスされている。
キャリア増幅器１７は、非線形の出力容量を有しており、入力整合回路１５から出力された第１の信号を増幅し、増幅後の第１の信号を第１の出力回路１９に出力する。
キャリア増幅器１７を等価回路で表すと、キャリア増幅器１７は、電流源３１及び出力容量を有するキャパシタ３２によって表すことができる。
【００１９】
ピーク増幅器１８は、例えば、ＦＥＴ、ＨＢＴ又はＨＥＭＴによって実現される。
図２に示すドハティ増幅器１では、ピーク増幅器１８が、ソース接地のトランジスタである例を示している。ピーク増幅器１８の入力端子１８ａであるゲート端子は、入力整合回路１６の他端と接続されており、ピーク増幅器１８の出力端子１８ｂであるドレイン端子は、第２の出力回路２０の一端と接続されている。第２の出力回路２０については、後述する。
【００２０】
ピーク増幅器１８の入力端子１８ａは、Ｃ級でバイアスされている。
ピーク増幅器１８は、入力整合回路１６から出力された第２の信号を増幅し、増幅後の第２の信号を第２の出力回路２０に出力する。
ピーク増幅器１８を等価回路で表すと、ピーク増幅器１８は、電流源４１及び出力容量を有するキャパシタ４２によって表すことができる。
キャパシタ４２が有する出力容量は、ピーク増幅器１８の出力電力の増加に伴って、非線形に増加する。
ピーク増幅器１８は、自己の非線形の出力容量によって、ピーク増幅器１８から合成回路２４を見たインピーダンスの誘導性の成分を減らすように作用する。
【００２１】
第１の出力回路１９は、例えば、９０度未満の電気長を有する伝送線路によって実現される。
第１の出力回路１９の一端は、キャリア増幅器１７の出力端子１７ｂと接続されており、第１の出力回路１９の他端は、合成回路２４の入力端子２４ａと接続されている。
第１の出力回路１９は、キャリア増幅器１７から出力された第１の信号を伝送して、第１の信号を合成回路２４に出力する。
第１の出力回路１９は、ピーク増幅器１８が増幅動作しない場合に、キャリア増幅器１７の出力側から見たときに、第２の出力回路２０のリアクタンス性を補償する、９０度未満の電気長を有している。
第１の出力回路１９の特性インピーダンスは、キャリア増幅器１７の出力電力が飽和出力電力であるときの最適負荷インピーダンスＲｏｐｔと一致している。ただし、第１の出力回路１９の特性インピーダンスは、最適負荷インピーダンスＲｏｐｔと厳密に一致しているものに限るものではなく、実用上問題のない範囲で、最適負荷インピーダンスＲｏｐｔからずれていてもよい。
【００２２】
第２の出力回路２０は、９０度よりも大きく、１８０度よりも小さい電気長を有しており、２つの伝送線路として、伝送線路２１及び伝送線路２３を備えている。接続点２２は、伝送線路２１と伝送線路２３とが接続されている点である。
図２に示すドハティ増幅器では、第２の出力回路２０が、伝送線路２１及び伝送線路２３を備えている。しかし、これは一例に過ぎず、第２の出力回路２０が、伝送線路２１と伝送線路２３とが一体形成されている１つの伝送線路によって実現されていてもよい。
第２の出力回路２０の一端は、ピーク増幅器１８の出力端子１８ｂと接続されており、第２の出力回路２０の他端は、合成回路２４の入力端子２４ｂと接続されている。
第２の出力回路２０は、ピーク増幅器１８から出力された第２の信号を伝送して、第２の信号を合成回路２４に出力する。
第２の出力回路２０の特性インピーダンスは、ピーク増幅器１８の出力電力が飽和出力電力であるときの最適負荷インピーダンスＲｏｐｔと一致している。ただし、第２の出力回路２０の特性インピーダンスは、最適負荷インピーダンスＲｏｐｔと厳密に一致しているものに限るものではなく、実用上問題のない範囲で、最適負荷インピーダンスＲｏｐｔからずれていてもよい。
ここでは、第２の出力回路２０が、９０度よりも大きく、１８０度よりも小さい電気長を有しているものを示している。しかし、これは一例に過ぎず、第２の出力回路２０が、左手系で−９０度よりも大きく、０度よりも小さい電気長を有していてもよい。第２の出力回路２０が、左手系で−９０度よりも大きく、０度よりも小さい電気長を有している場合には、第２の出力回路２０が、左手系のフィルタ回路を備えている。
【００２３】
第２の出力回路２０は、ピーク増幅器１８が増幅動作する際に、ピーク増幅器１８から合成回路２４を見たインピーダンスを誘導性の領域のインピーダンスに変成する。
第２の出力回路２０は、ピーク増幅器１８が停止しているバックオフ時には、ピーク増幅器１８と合成回路２４との間である接続点２２にショート点を形成する。
第２の出力回路２０は、ピーク増幅器１８が飽和出力電力よりも低い電力を出力しているときは、ピーク増幅器１８のバックオフ量に応じて、ピーク増幅器１８から合成回路２４を見たインピーダンスを誘導性の領域のインピーダンスに変成する。
このとき、ピーク増幅器１８は、キャパシタ４２が有する出力容量によって、ピーク増幅器１８から合成回路２４を見たインピーダンスの誘導性の成分を減らす。
【００２４】
伝送線路２１は、９０度の電気長を有している。
伝送線路２１の一端は、ピーク増幅器１８の出力端子１８ｂと接続されており、伝送線路２１の他端は、接続点２２と接続されている。
伝送線路２３は、９０度よりも小さい電気長を有している。
伝送線路２３の一端は、接続点２２と接続されており、伝送線路２３の他端は、合成回路２４の入力端子２４ｂと接続されている。
【００２５】
合成回路２４は、第１の出力回路１９から出力された第１の信号と第２の出力回路２０から出力された第２の信号とを合成する合成点２５を有している。
合成回路２４の入力端子２４ａは、第１の出力回路１９の他端と接続されている。
合成回路２４の入力端子２４ｂは、伝送線路２３の他端と接続されている。
合成回路２４は、第１の出力回路１９から出力された第１の信号と第２の出力回路２０から出力された第２の信号とを合成する。
合成回路２４は、第１の信号と第２の信号との合成信号を出力整合回路２６に出力する。
合成点２５は、第１の出力回路１９から出力された第１の信号と第２の出力回路２０から出力された第２の信号との合成点である。合成点２５には、出力整合回路２６の一端が接続されている。
【００２６】
出力整合回路２６は、例えば、集中定数素子を用いている回路、分布定数線路を用いている回路、集中定数と分布定数とが組み合わされている回路、Ｌ−Ｃ型整合回路、又は、４分の１波長線路によって実現される。
出力整合回路２６の一端は、合成点２５と接続されており、出力整合回路２６の他端は、ドハティ増幅器１の外部の負荷２７と接続されている。
出力整合回路２６は、合成点２５のインピーダンスを負荷２７のインピーダンスに変換する。
負荷２７は、出力整合回路２６の他端と接続されているドハティ増幅器１の外部の負荷である。
【００２７】
次に、図２に示すドハティ増幅器１の動作について説明する。
入力整合回路１２は、入力端子１１から入力された通信信号を受けると、入力端子１１のインピーダンスを分配器１３の入力インピーダンスに変換し、通信信号を分配器１３に出力する。
分配器１３は、入力整合回路１２から通信信号を受けると、通信信号を第１の信号と第２の信号とに分配する。
分配器１３は、出力端子１３ｂから第１の信号を位相補正回路１４の出力し、出力端子１３ｃから第２の信号を入力整合回路１６に出力する。
【００２８】
位相補正回路１４は、分配器１３の出力端子１３ｂから第１の信号を受けると、第１の信号を入力整合回路１５に出力する。
このとき、位相補正回路１４は、分配器１３の出力端子１３ｂから合成点２５までの、キャリア増幅器１７側の経路の電気長と、分配器１３の出力端子１３ｃから合成点２５までの、ピーク増幅器１８側の経路の電気長とを同じ電気長に揃えるように作用する。
【００２９】
入力整合回路１５は、位相補正回路１４から第１の信号を受けると、位相補正回路１４のインピーダンスをキャリア増幅器１７の入力インピーダンスに変換し、第１の信号をキャリア増幅器１７の入力端子１７ａに出力する。
キャリア増幅器１７は、入力整合回路１５から第１の信号を受けると、第１の信号を増幅し、増幅後の第１の信号を第１の出力回路１９に出力する。
第１の出力回路１９は、キャリア増幅器１７から増幅後の第１の信号を受けると、第１の信号を伝送して、第１の信号を合成回路２４に出力する。
【００３０】
入力整合回路１６は、分配器１３の出力端子１３ｃから第２の信号を受けると、分配器１３の出力端子１３ｃのインピーダンスをピーク増幅器１８の入力インピーダンスに変換し、第２の信号をピーク増幅器１８の入力端子１８ａに出力する。
ピーク増幅器１８は、入力整合回路１６から第２の信号を受けると、第２の信号を増幅し、増幅後の第２の信号を第２の出力回路２０に出力する。
第２の出力回路２０は、ピーク増幅器１８から増幅後の第２の信号を受けると、第２の信号を伝送して、第２の信号を合成回路２４に出力する。
【００３１】
合成回路２４は、第１の出力回路１９から出力された第１の信号と第２の出力回路２０から出力された第２の信号とを合成する。
合成回路２４は、第１の信号と第２の信号との合成信号を出力整合回路２６に出力する。
出力整合回路２６は、合成回路２４から合成信号を受けると、合成点２５のインピーダンスを外部の負荷２７のインピーダンスに変換して、合成信号を負荷２７に出力する。
【００３２】
次に、ピーク増幅器１８が停止しているバックオフ時のドハティ増幅器１の動作について説明する。
図３は、ドハティ増幅器１のバックオフ時動作を示す説明図である。図３では、出力整合回路２６の記載を省略している。
図４は、ドハティ増幅器１のバックオフ時動作での負荷変成を示す説明図である。
バックオフ時では、ピーク増幅器１８は、停止しているため、図３に示すように、ピーク増幅器１８の出力インピーダンスがＯｐｅｎの状態となる。
ピーク増幅器１８の出力インピーダンスは、９０度の電気長を有する伝送線路２１によって変成され、接続点２２にショート点が形成される。
接続点２２にショート点が形成されることで、合成点２５からピーク増幅器１８を見ると、伝送線路２３が、仮想的なショートスタブとして機能するようになる。
【００３３】
伝送線路２３が、仮想的なショートスタブとして機能することで、図４に示すように、合成点２５から負荷２７を見たインピーダンスΓ１である出力負荷Ｒｏｐｔが、インピーダンスΓ２に変成される。
インピーダンスΓ２は、図４に示すように、第１の出力回路１９によって、実軸上のインピーダンスΓ３に変成される。
インピーダンスΓ３は、キャリア増幅器１７の出力負荷インピーダンスであり、一般的なドハティ増幅器におけるキャリア増幅器の出力負荷インピーダンス２×Ｒｏｐｔよりも大きくなる。ここでの一般的なドハティ増幅器とは、キャリア増幅器の飽和出力電力とピーク増幅器の飽和出力電力とが同じドハティ増幅器であって、バックオフ量が６ｄＢのドハティ増幅器である。
したがって、図２に示すドハティ増幅器１のバックオフ量を、一般的なドハティ増幅器のバックオフ量よりも大きくすることができる。
【００３４】
次に、ピーク増幅器１８が飽和出力電力よりも低い電力を出力しているときのドハティ増幅器１の動作について説明する。
図５は、ピーク増幅器１８が飽和出力電力よりも低い電力を出力しているときのドハティ増幅器１の動作を示す説明図である。図５では、出力整合回路２６の記載を省略している。
図６は、ピーク増幅器１８が飽和出力電力よりも低い電力を出力しているときのドハティ増幅器１の負荷変成を示す説明図である。
【００３５】
まず、第１の出力回路１９の電気長ＥＬ１は、以下の式（１）及び式（３）に示すように、所望のバックオフ量ＯＢＯに応じて、決定される。
第２の出力回路２０の電気長ＥＬ２は、以下の式（２）及び式（３）に示すように、所望のバックオフ量ＯＢＯに応じて、決定される。
0006972431.tif 000002
【００３６】
キャリア増幅器１７の出力負荷インピーダンスは、ピーク増幅器１８の出力電力に従って負荷変成される。具体的には、キャリア増幅器１７の出力負荷インピーダンスは、図６に示すように、実軸上のインピーダンスΓ３から、実軸上のインピーダンスΓ０まで負荷変成される。インピーダンスΓ０は、キャリア増幅器１７の出力電力が飽和出力電力であるときの最適負荷インピーダンスＲｏｐｔである。
【００３７】
ピーク増幅器１８の出力負荷インピーダンスは、以下のように変成される。
ここでは、説明の便宜上、ピーク増幅器１８の出力容量である、キャパシタ４２が有する出力容量を、図５に示すように、第２の信号の信号レベルが小さいときの出力容量を有するキャパシタ４３と、第２の信号の信号レベルが大きくなることで増加した出力容量の増加分を有するキャパシタ４４とに分解する。
【００３８】
ピーク増幅器１８が飽和出力電力よりも低い電力を出力しているときは、伝送線路２３から合成点２５を見たインピーダンスΓ５は、図６に示すように、容量性の領域のインピーダンスである。
インピーダンスΓ５は、伝送線路２３が有する９０度未満の電気長の分だけインピーダンス変成され、接続点２２から伝送線路２３を見たインピーダンスがΓ６になる。インピーダンスΓ６は、図６に示すように、容量性の領域のインピーダンスである。
インピーダンスΓ６は、伝送線路２１が有する９０度の電気長の分だけインピーダンス変成され、キャパシタ４３とキャパシタ４４との間から伝送線路２１を見たインピーダンスがΓ７になる。
第２の出力回路２０は、バックオフ時に仮想的なショートスタブとして機能する誘導性の回路であるため、図６に示すように、インピーダンスΓ７は、誘導性の領域のインピーダンスに変成される。
【００３９】
図２に示すドハティ増幅器１では、ピーク増幅器１８が、出力容量の増加分を有するキャパシタ４４を備えている。したがって、インピーダンスΓ７は、キャパシタ４４が有する出力容量の増加分だけ、実軸に近づくようにインピーダンス変成され、ピーク増幅器１８の電流源４１から合成点２５を見たインピーダンスがΓ８になる。
ピーク増幅器１８の電流源４１から合成点２５を見たインピーダンスΓ８は、ピーク増幅器１８の出力電力に応じて、図６に示す実線上のいずれかのインピーダンスとなる。図６に示す実線は、実軸に近い領域に存在している。
よって、ピーク増幅器１８の出力電力が零であるバックオフ時から、ピーク増幅器１８の出力電力が飽和出力電力になるまでの間、ピーク増幅器１８の出力負荷インピーダンスは、オープン点から、図６に示す実線を経由して、実軸上のインピーダンスΓ０まで負荷変成される。図６において、オープン点は、“Ｐ小”と記載されている点であり、“Ｐ小”は、出力電力が零であることを意味する。Γ０は、“Ｐ大”と記載されている点であり、“Ｐ大”は、出力電力が飽和出力電力であることを意味する。
【００４０】
特許文献１に開示されているドハティ増幅器では、ピーク増幅器が、飽和出力電力よりも低い電力を出力しているときには、ピーク増幅器から出力合成点を見たインピーダンスが容量性の領域のインピーダンスに変成される。ピーク増幅器から出力合成点を見たインピーダンスの実軸からの距離は、図２に示すピーク増幅器１８から合成回路２４を見たインピーダンスΓ７’の実軸からの距離とほぼ等しい。
また、特許文献１に開示されているドハティ増幅器では、ピーク増幅器の出力容量によって、ピーク増幅器から出力合成点を見たインピーダンスの容量性の成分がさらに大きくなる。したがって、ピーク増幅器の出力容量によって、ピーク増幅器から出力合成点を見たインピーダンスの実軸からの距離が大きくなるように、ピーク増幅器から出力合成点を見たインピーダンスが変成される。
図２に示すドハティ増幅器１では、誘導性の領域に変成されたインピーダンスΓ７が、キャパシタ４４が有する出力容量の増加分によって、誘導性の成分が減らされている。したがって、ピーク増幅器１８の電流源４１から合成点２５を見たインピーダンスΓ８の実軸からの距離が、特許文献１に開示されているドハティ増幅器におけるピーク増幅器から出力合成点を見たインピーダンスの実軸からの距離よりも小さくなる。
よって、図２に示すドハティ増幅器１では、特許文献１に開示されているドハティ増幅器よりも、実軸に近い領域へのインピーダンス変成を実現することが可能である。
【００４１】
図７は、実施の形態１に係るドハティ増幅器１の効率と、特許文献１に記載のドハティ増幅器１の効率とのシミュレーション結果を示す説明図である。
特許文献１に記載のドハティ増幅器では、図７に示すように、ピーク増幅器の出力電力が、効率ピーク点が現れる電力から、飽和出力電力になるまでの間で、効率が大きく劣化している。即ち、ピーク増幅器の出力電力が、零の電力から飽和出力電力になるまでの間で、効率が大きく劣化する出力電力がある。
実施の形態１に係るドハティ増幅器１では、ピーク増幅器１８の出力電力が、零の電力から飽和出力電力になるまでの間で、効率が大きく劣化する出力電力がなく、特許文献１に記載のドハティ増幅器よりも効率が高くなっている。
【００４２】
以上の実施の形態１では、ピーク増幅器１８が増幅動作する際に、第２の出力回路２０が、ピーク増幅器１８から合成回路２４を見たインピーダンスを誘導性の領域のインピーダンスに変成するように、ドハティ増幅器１を構成した。したがって、ドハティ増幅器１は、ピーク増幅器１８が飽和出力電力よりも低い電力を出力しているときの効率の劣化を防ぐことができる。
【００４３】
実施の形態２．
実施の形態２では、ピーク増幅器１８の飽和出力電力が、キャリア増幅器１７の飽和出力電力よりも大きいドハティ増幅器１について説明する。
実施の形態２のドハティ増幅器１の構成は、実施の形態１のドハティ増幅器１の構成と同様であり、実施の形態２のドハティ増幅器１を示す構成図は、図２である。
【００４４】
次に、ピーク増幅器１８が停止しているバックオフ時のドハティ増幅器１の動作について説明する。
図８は、ドハティ増幅器１のバックオフ時動作を示す説明図である。図８では、出力整合回路２６の記載を省略している。
図９は、ドハティ増幅器１のバックオフ時動作での負荷変成を示す説明図である。
実施の形態２のドハティ増幅器１では、キャリア増幅器１７の出力電力が飽和出力電力であるときの最適負荷インピーダンスがＲｏｐｔであり、ピーク増幅器１８の出力電力が飽和出力電力であるときの最適負荷インピーダンスがＫ×Ｒｏｐｔであるとする。Ｋは、１よりも小さく、０よりも大きい値である。
合成点２５から負荷２７を見たインピーダンスΓ１は、最適負荷インピーダンスＲｏｐｔと、最適負荷インピーダンスＫ×Ｒｏｐｔとの合成インピーダンスになるため、図９に示すように、０．５×Ｒｏｐｔよりも小さいインピーダンスになる。
したがって、実施の形態２のドハティ増幅器１におけるインピーダンスΓ１は、実施の形態１のドハティ増幅器１におけるインピーダンスΓ１よりも小さいインピーダンスになる。
【００４５】
バックオフ時では、ピーク増幅器１８は、停止しているため、図８に示すように、ピーク増幅器１８の出力インピーダンスがＯｐｅｎの状態となる。
ピーク増幅器１８の出力インピーダンスは、９０度の電気長を有する伝送線路２１によって変成され、接続点２２にショート点が形成される。
接続点２２にショート点が形成されることで、合成点２５からピーク増幅器１８を見ると、伝送線路２３が、仮想的なショートスタブとして機能するようになる。
【００４６】
伝送線路２３が、仮想的なショートスタブとして機能することで、合成点２５から負荷２７を見たインピーダンスΓ１である出力負荷Ｌ×０．５×Ｒｏｐｔが、インピーダンスΓ２に変成される。Ｌは、１よりも小さく、０よりも大きい値である。
インピーダンスΓ２は、図９に示すように、第１の出力回路１９によって、実軸上のインピーダンスΓ３に変成される。
インピーダンスΓ３は、キャリア増幅器１７の出力負荷インピーダンスであり、バックオフ量が６ｄＢであるときの一般的なドハティ増幅器のインピーダンス２×Ｒｏｐｔよりも大きくなる。
したがって、実施の形態２のドハティ増幅器１のバックオフ量を、一般的なドハティ増幅器のバックオフ量よりも大きくすることができる。
【００４７】
次に、ピーク増幅器１８が飽和出力電力よりも低い電力を出力しているときのドハティ増幅器１の動作について説明する。
図１０は、ピーク増幅器１８が飽和出力電力よりも低い電力を出力しているときのドハティ増幅器１の動作を示す説明図である。図１０では、出力整合回路２６の記載を省略している。
図１１は、ピーク増幅器１８が飽和出力電力よりも低い電力を出力しているときのドハティ増幅器１の負荷変成を示す説明図である。
【００４８】
キャリア増幅器１７の出力負荷インピーダンスは、ピーク増幅器１８の出力電力に従って負荷変成される。具体的には、キャリア増幅器１７の出力負荷インピーダンスは、図１１に示すように、実軸上のインピーダンスΓ３から、実軸上のインピーダンスΓ０まで負荷変成される。インピーダンスΓ０は、キャリア増幅器１７の出力電力が飽和出力電力であるときの最適負荷インピーダンスＲｏｐｔである。
【００４９】
ピーク増幅器１８の出力負荷インピーダンスは、以下のように変成される。
ピーク増幅器１８が飽和出力電力よりも低い電力を出力しているときは、伝送線路２３から合成点２５を見たインピーダンスΓ５は、図１１に示すように、容量性の領域のインピーダンスである。
インピーダンスΓ５は、伝送線路２３が有する９０度未満の電気長の分だけインピーダンス変成され、接続点２２から伝送線路２３を見たインピーダンスがΓ６になる。インピーダンスΓ６は、図１１に示すように、容量性の領域のインピーダンスである。
インピーダンスΓ６は、伝送線路２１が有する９０度の電気長の分だけインピーダンス変成され、キャパシタ４３とキャパシタ４４との間から伝送線路２１を見たインピーダンスがΓ７になる。
第２の出力回路２０は、バックオフ時に仮想的なショートスタブとして機能する誘導性の回路であるため、図１１に示すように、インピーダンスΓ７は、誘導性の領域のインピーダンスに変成される。
【００５０】
実施の形態２のドハティ増幅器１では、ピーク増幅器１８が、出力容量の増加分を有するキャパシタ４４を備えている。したがって、インピーダンスΓ７は、キャパシタ４４が有する出力容量の増加分だけ、実軸に近づくようにインピーダンス変成され、ピーク増幅器１８の電流源４１から合成点２５を見たインピーダンスがΓ８になる。
ピーク増幅器１８の電流源４１から合成点２５を見たインピーダンスΓ８は、ピーク増幅器１８の出力電力に応じて、図１１に示す実線上のいずれかのインピーダンスとなる。図１１に示す実線は、実軸に近い領域に存在している。
よって、ピーク増幅器１８の出力電力が零であるバックオフ時から、ピーク増幅器１８の出力電力が飽和出力電力になるまでの間、ピーク増幅器１８の出力負荷インピーダンスは、オープン点から、図１１に示す実線を経由して、実軸上のインピーダンスΓ０まで負荷変成される。
【００５１】
特許文献１に開示されているドハティ増幅器では、ピーク増幅器が、飽和出力電力よりも低い電力を出力しているときには、ピーク増幅器から出力合成点を見たインピーダンスが容量性の領域のインピーダンスに変成される。ピーク増幅器から出力合成点を見たインピーダンスの実軸からの距離は、図２に示すピーク増幅器１８から合成回路２４を見たインピーダンスΓ７’の実軸からの距離とほぼ等しい。
また、特許文献１に開示されているドハティ増幅器では、ピーク増幅器の出力容量によって、ピーク増幅器から出力合成点を見たインピーダンスの容量性の成分がさらに大きくなる。したがって、ピーク増幅器の出力容量によって、ピーク増幅器から出力合成点を見たインピーダンスの実軸からの距離が大きくなるように、ピーク増幅器から出力合成点を見たインピーダンスが変成される。
実施の形態２のドハティ増幅器１では、誘導性の領域に変成されたインピーダンスΓ７が、キャパシタ４４が有する出力容量の増加分によって、誘導性の成分が減らされている。したがって、ピーク増幅器１８の電流源４１から合成点２５を見たインピーダンスΓ８の実軸からの距離が、特許文献１に開示されているドハティ増幅器におけるピーク増幅器から出力合成点を見たインピーダンスの実軸からの距離よりも小さくなる。
よって、実施の形態２のドハティ増幅器１では、特許文献１に開示されているドハティ増幅器よりも、実軸に近い領域へのインピーダンス変成を実現することが可能である。
【００５２】
ピーク増幅器１８の飽和出力電力が、キャリア増幅器１７の飽和出力電力よりも大きいドハティ増幅器１でも、実施の形態１のドハティ増幅器１と同様に、ピーク増幅器１８が飽和出力電力よりも低い電力を出力しているときの効率の劣化を防ぐことができる。
ピーク増幅器１８の飽和出力電力が、キャリア増幅器１７の飽和出力電力よりも大きくなるように、ドハティ増幅器１を構成することで、実施の形態１のドハティ増幅器１よりも、効率ピーク点が現れるバックオフ量を大きくすることができる。
【００５３】
実施の形態３．
実施の形態３では、第１の出力整合回路５１と、第２の出力整合回路５２とを備えるドハティ増幅器１について説明する。
【００５４】
図１２は、実施の形態３に係るドハティ増幅器１を備える通信装置を示す構成図である。図１２において、図２と同一符号は同一又は相当部分を示すので説明を省略する。
第１の出力整合回路５１は、例えば、集中定数素子を用いている回路、分布定数線路を用いている回路、集中定数と分布定数とが組み合わされている回路、Ｌ−Ｃ型整合回路、又は、４分の１波長線路によって実現される。
第１の出力整合回路５１の一端は、キャリア増幅器１７の出力端子１７ｂと接続されており、第１の出力整合回路５１の他端は、第１の出力回路１９の一端と接続されている。
第１の出力整合回路５１は、キャリア増幅器１７の出力インピーダンスを第１の出力回路１９のインピーダンスに変換する。
【００５５】
第２の出力整合回路５２は、例えば、集中定数素子を用いている回路、分布定数線路を用いている回路、集中定数と分布定数とが組み合わされている回路、Ｌ−Ｃ型整合回路、又は、４分の１波長線路によって実現される。
第２の出力整合回路５２の一端は、ピーク増幅器１８の出力端子１８ｂと接続されており、第２の出力整合回路５２の他端は、第２の出力回路２０の一端と接続されている。
第２の出力整合回路５２は、ピーク増幅器１８の出力インピーダンスを第２の出力回路２０のインピーダンスに変換する。
【００５６】
図１２に示すドハティ増幅器１は、第１の出力整合回路５１と、第２の出力整合回路５２とを備えている点以外は、図２に示すドハティ増幅器１と同様である。
図１２に示すドハティ増幅器１が、第１の出力整合回路５１を備えることで、キャリア増幅器１７から出力された第１の信号が第１の出力回路１９に反射されるのを防ぐことができる。
図１２に示すドハティ増幅器１が、第２の出力整合回路５２を備えることで、ピーク増幅器１８から出力された第２の信号が第２の出力回路２０に反射されるのを防ぐことができる。
【００５７】
実施の形態４．
実施の形態４では、合成回路２４から負荷２７を見たインピーダンスを変成する広帯域化回路６０が、合成回路２４と負荷２７との間に挿入されているドハティ増幅器１について説明する。
【００５８】
図１３は、実施の形態４に係るドハティ増幅器１を示す構成図である。図１３において、図２と同一符号は同一又は相当部分を示すので説明を省略する。
広帯域化回路６０は、伝送線路６１及びオープンスタブ６２を備えている。
広帯域化回路６０の一端は、合成回路２４の合成点２５と接続されており、広帯域化回路６０の他端は、出力整合回路２６の一端と接続されている。
広帯域化回路６０は、ピーク増幅器１８が停止しているときに、キャリア増幅器１７により増幅される第１の信号の周波数が、当該周波数の中心周波数よりも低域側にずれていれば、合成回路２４から負荷２７を見たインピーダンスを容量性の領域のインピーダンスに変成する。
広帯域化回路６０は、第１の信号の周波数が、当該周波数の中心周波数よりも高域側にずれていれば、合成回路２４から負荷２７を見たインピーダンスを誘導性の領域のインピーダンスに変成する。
図１３に示すドハティ増幅器１は、図２に示すドハティ増幅器１に広帯域化回路６０が適用されているドハティ増幅器である。しかし、これは一例に過ぎず、図１２に示すドハティ増幅器１に広帯域化回路６０が適用されているドハティ増幅器であってもよい。
【００５９】
伝送線路６１は、電気長がＥＬ３の線路である。
伝送線路６１の一端は、合成回路２４の合成点２５と接続されており、伝送線路６１の他端は、接続点６３と接続されている。
９０度の電気長から第１の出力回路１９の電気長ＥＬ１を引いた電気長がθａであるとすると、伝送線路６１の電気長ＥＬ３は、以下の式（４）のように表される。
0006972431.tif 000003
【００６０】
オープンスタブ６２の一端は、接続点６３と接続されている。
オープンスタブ６２の電気長は、１８０度であり、オープンスタブ６２の特性インピーダンスは、キャリア増幅器１７の出力電力が飽和出力電力であるときの最適負荷インピーダンスＲｏｐｔの半分である。
接続点６３には、伝送線路６１の他端、オープンスタブ６２の一端及び出力整合回路２６の一端のそれぞれが接続されている。
【００６１】
次に、図１３に示すドハティ増幅器１の動作について説明する。ただし、広帯域化回路６０以外は、図２に示すドハティ増幅器１と同様であるため、ここでは、主に広帯域化回路６０の動作について説明する。
ピーク増幅器１８が停止しているときに、分配器１３から出力された第１の信号の周波数が、中心周波数からずれていなければ、広帯域化回路６０は、合成回路２４から負荷２７を見たインピーダンスを変成しない。
広帯域化回路６０は、第１の信号の周波数が、中心周波数よりも低域側にずれていれば、合成回路２４から負荷２７を見たインピーダンスを容量性の領域のインピーダンスに変成する。
広帯域化回路６０は、第１の信号の周波数が、中心周波数よりも高域側にずれていれば、合成回路２４から負荷２７を見たインピーダンスを誘導性の領域のインピーダンスに変成する。
以下、広帯域化回路６０によるインピーダンス変成を具体的に説明する。
【００６２】
図１４は、ドハティ増幅器１のバックオフ時動作を示す説明図である。図１４では、出力整合回路２６の記載を省略している。
図１５は、ドハティ増幅器１のバックオフ時動作での負荷変成を示す説明図である。
バックオフ時では、ピーク増幅器１８は、停止しているため、図１４に示すように、ピーク増幅器１８の出力インピーダンスがＯｐｅｎの状態となる。
ピーク増幅器１８の出力インピーダンスは、９０度の電気長を有する伝送線路２１によって変成され、接続点２２にショート点が形成される。
接続点２２にショート点が形成されることで、合成点２５からピーク増幅器１８を見ると、伝送線路２３が、仮想的なショートスタブとして機能するようになる。
【００６３】
伝送線路２３が、仮想的なショートスタブとして機能することで、合成点２５から負荷２７を見たインピーダンスΓ１’である出力負荷０．５×Ｒｏｐｔが、図１５に示すように、インピーダンスΓ２’に変成される。
インピーダンスΓ２’は、図１５に示すように、第１の出力回路１９によって、実軸上のインピーダンスΓ３’に変成される。
インピーダンスΓ３’は、キャリア増幅器１７の出力負荷インピーダンスであり、バックオフ量が６ｄＢであるときの一般的なドハティ増幅器のインピーダンス２×Ｒｏｐｔよりも大きくなる。
したがって、図１３に示すドハティ増幅器１のバックオフ量を、一般的なドハティ増幅器のバックオフ量よりも大きくすることができる。
【００６４】
図１３に示すドハティ増幅器１では、オープンスタブ６２の一端が接続点６３に接続されているため、伝送線路６１の他端から負荷２７を見たインピーダンスΓ９は、第１の信号の周波数が、中心周波数よりも低域側にずれていれば、図１５に示すように、誘導性の領域のインピーダンスである。
伝送線路６１の他端から負荷２７を見たインピーダンスΓ９は、第１の信号の周波数が、中心周波数よりも高域側にずれていれば、図１５に示すように、容量性の領域のインピーダンスである。
【００６５】
インピーダンスΓ９は、伝送線路６１によって、図１５に示すスミスチャート上で時計回りに回転されることで、インピーダンスΓ１’に変成される。
このとき、第１の信号の周波数が、中心周波数よりも低域側にずれていれば、インピーダンスΓ９が、容量性の領域のインピーダンスΓ１’に変成される。第１の信号の周波数が、中心周波数よりも高域側にずれていれば、インピーダンスΓ９が、誘導性の領域のインピーダンスΓ１’に変成される。
【００６６】
インピーダンスΓ１’は、伝送線路２３が仮想的なショートスタブとして機能することで、図１５に示すように、誘導性の領域のインピーダンスΓ２’に変成される。
インピーダンスΓ２’は、第１の信号の周波数が、中心周波数よりも低域側の周波数から、中心周波数よりも高域側の周波数まで変化しても、図１５に示すように、時計回りに回転するだけである。
インピーダンスΓ２’は、図１５に示すように、第１の出力回路１９によって、インピーダンスΓ３’に変成される。合成回路２４の出力側に広帯域化回路６０が接続されていなければ、第１の信号の周波数が、中心周波数からずれていると、図１５に示すように、インピーダンスΓ３’が実軸上から大きくずれてしまうことがある。
図１３に示すドハティ増幅器１では、合成回路２４の出力側に広帯域化回路６０が接続されているため、第１の信号の周波数が、中心周波数からずれていても、図１５に示すように、インピーダンスΓ３’が概ね実軸上に変成される。
【００６７】
以上の実施の形態４では、ピーク増幅器１８が停止しているときに、第１の信号の周波数が、中心周波数よりも低域側にずれていれば、広帯域化回路６０が、合成回路２４から負荷２７を見たインピーダンスを容量性の領域のインピーダンスに変成する。第１の信号の周波数が、中心周波数よりも高域側にずれていれば、広帯域化回路６０が、合成回路２４から負荷２７を見たインピーダンスを誘導性の領域のインピーダンスに変成するように、ドハティ増幅器１を構成した。したがって、ドハティ増幅器１は、図２に示すドハティ増幅器１と同様に、ピーク増幅器１８が飽和出力電力よりも低い電力を出力しているときの効率の劣化を防ぐことができる。また、第１の信号の周波数が中心周波数からずれていても、ピーク増幅器１８が停止しているときの効率の劣化を防ぐことができる。
【００６８】
実施の形態５．
実施の形態５では、第１の伝送線路７１及び第２の伝送線路７２を備えるドハティ増幅器１について説明する。
【００６９】
図１６は、実施の形態５に係るドハティ増幅器１を示す構成図である。図１６において、図２、図１２及び図１３と同一符号は同一又は相当部分を示すので説明を省略する。
第１の伝送線路７１は、１８０度のｎ（ｎは、正又は負の整数）倍の電気長を有している線路である。
第１の伝送線路７１の一端は、第１の出力回路１９の他端と接続されており、第１の伝送線路７１の他端は、合成回路２４の入力端子２４ａと接続されている。
第２の伝送線路７２は、１８０度のｍ（ｍは、正又は負の整数）倍の電気長を有している線路である。
第２の伝送線路７２の一端は、第２の出力回路２０の他端と接続されており、第２の伝送線路７２の他端は、合成回路２４の入力端子２４ｂと接続されている。
【００７０】
図１６に示すドハティ増幅器１は、図２に示すドハティ増幅器１に、第１の伝送線路７１及び第２の伝送線路７２のそれぞれが適用されているドハティ増幅器である。しかし、これは一例に過ぎず、図１２又は図１３に示すドハティ増幅器１に、第１の伝送線路７１及び第２の伝送線路７２のそれぞれが適用されているドハティ増幅器であってもよい。
【００７１】
図１６に示すドハティ増幅器１は、第１の伝送線路７１及び第２の伝送線路７２を備えている点以外は、図２に示すドハティ増幅器１と同様である。
図１６に示すドハティ増幅器１では、第１の伝送線路７１及び第２の伝送線路７２を備えていても、図２に示すドハティ増幅器１と同様に、ピーク増幅器１８が飽和出力電力よりも低い電力を出力しているときの効率の劣化を防ぐことができる。
図１６に示すドハティ増幅器１では、第１の伝送線路７１及び第２の伝送線路７２を備えることで、例えば、図１６に示すドハティ増幅器１を実装する基板のサイズに合わせて、第１の伝送線路７１及び第２の伝送線路７２のそれぞれを引き回すことができる。
【００７２】
実施の形態６．
実施の形態６では、第１の入力信号源８１及び第２の入力信号源８２を備えるドハティ増幅器１について説明する。
【００７３】
図１７は、実施の形態６に係るドハティ増幅器１を示す構成図である。図１７において、図２、図１２、図１３及び図１６と同一符号は同一又は相当部分を示すので説明を省略する。
信号源８０は、第１の入力信号源８１及び第２の入力信号源８２を備えている。
信号源８０は、当該信号源８０に入力された通信信号を２つの信号に分配する。
信号源８０は、２つの信号のうちの一方の信号を第１の入力信号源８１に出力し、他方の信号を第２の入力信号源８２に出力する。
【００７４】
第１の入力信号源８１は、例えば、直交変調器、ＤＡＣ（Ｄｉｇｉｔａｌ  Ａｎａｌｏｇ  Ｃｏｎｖｅｒｔｏｒ）及びＤＤＳ（Ｄｉｒｅｃｔ  Ｄｉｇｉｔａｌ  Ｓｙｎｔｈｅｓｉｚｅ）によって実現される。
第１の入力信号源８１は、第１の信号を、入力整合回路１５を介して、キャリア増幅器１７の入力端子１７ａに出力する。第１の信号は、一方の信号に含まれている情報と同じ情報を含んでいる。
第２の入力信号源８２は、例えば、直交変調器、ＤＡＣ及びＤＤＳによって実現される。
第２の入力信号源８２は、第２の信号を、入力整合回路１６を介して、ピーク増幅器１８の入力端子１８ａに出力する。第２の信号は、他方の信号に含まれている情報と同じ情報を含んでいる。
【００７５】
図１７に示すドハティ増幅器１は、図２に示すドハティ増幅器１に信号源８０が適用されているドハティ増幅器である。しかし、これは一例に過ぎず、図１２、図１３又は図１６に示すドハティ増幅器１に信号源８０が適用されているドハティ増幅器であってもよい。
【００７６】
図１７に示すドハティ増幅器１では、キャリア増幅器１７の入力端子１７ａには、スレッシュホルド電圧と概ね同じバイアス電圧が印加されている。キャリア増幅器１７は、入力端子１７ａの電圧がスレッシュホルド電圧よりも大きければ、信号の増幅動作を行い、入力端子１７ａの電圧がスレッシュホルド電圧以下であれば、信号の増幅動作を行わない。
したがって、キャリア増幅器１７の入力端子１７ａに対する第１の信号の有無で、キャリア増幅器１７の動作を切り替えることが可能である。
【００７７】
ピーク増幅器１８の入力端子１８ａには、スレッシュホルド電圧と概ね同じバイアス電圧が印加されている。ピーク増幅器１８は、入力端子１８ａの電圧がスレッシュホルド電圧よりも大きければ、信号の増幅動作を行い、入力端子１８ａの電圧がスレッシュホルド電圧以下であれば、信号の増幅動作を行わない。
したがって、ピーク増幅器１８の入力端子１８ａに対する第２の信号の有無で、ピーク増幅器１８の動作を切り替えることが可能である。
【００７８】
次に、図１７に示すドハティ増幅器１の動作について説明する。
信号源８０は、当該信号源８０に入力された通信信号を２つの信号に分配する。
信号源８０は、２つの信号のうちの一方の信号を第１の入力信号源８１に出力し、他方の信号を第２の入力信号源８２に出力する。
【００７９】
第１の入力信号源８１は、一方の信号を受けると、第１の信号を、入力整合回路１５を介して、キャリア増幅器１７の入力端子１７ａに出力する。
キャリア増幅器１７は、第１の信号を増幅し、増幅後の第１の信号を第１の出力回路１９に出力する。
【００８０】
第２の入力信号源８２は、他方の信号を受けると、第２の信号を、入力整合回路１６を介して、ピーク増幅器１８の入力端子１８ａに出力する。
ただし、バックオフ時では、第２の入力信号源８２は、第２の信号を、入力整合回路１６を介して、ピーク増幅器１８の入力端子１８ａに出力しない。第２の入力信号源８２から第２の信号が出力されなければ、ピーク増幅器１８は、信号の増幅動作を行わない。
ドハティ増幅器１が、バックオフ時よりも大きな電力を出力するときには、第２の入力信号源８２第２の入力信号源８２は、第２の信号を、入力整合回路１６を介して、ピーク増幅器１８の入力端子１８ａに出力する。
ピーク増幅器１８は、第２の信号を増幅し、増幅後の第２の信号を第２の出力回路２０に出力する。
【００８１】
第１の入力信号源８１及び第２の入力信号源８２を備えるドハティ増幅器１でも、図２に示すドハティ増幅器１と同様に、ピーク増幅器１８が飽和出力電力よりも低い電力を出力しているときの効率の劣化を防ぐことができる。
図１７に示すドハティ増幅器１では、第１の入力信号源８１及び第２の入力信号源８２を備えることで、ピーク増幅器１８における信号の増幅動作を制御して、図２に示すドハティ増幅器１よりも効率を高めることができる。
【００８２】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８３】
この発明は、ドハティ増幅器及び通信装置に適している。
【符号の説明】
【００８４】
１  ドハティ増幅器、１１  入力端子、１２  入力整合回路、１３  分配器、１３ａ  入力端子、１３ｂ  出力端子、１３ｃ  出力端子、１４  位相補正回路、１５  入力整合回路、１６  入力整合回路、１７  キャリア増幅器、１７ａ  入力端子、１７ｂ  出力端子、１８  ピーク増幅器、１８ａ  入力端子、１８ｂ  出力端子、１９  第１の出力回路、２０  第２の出力回路、２１  伝送線路、２２  接続点、２３  伝送線路、２４  合成回路、２４ａ，２４ｂ  入力端子、２５  合成点、２６  出力整合回路、２７  負荷、３１  電流源、３２  キャパシタ、４１  電流源、４２，４３，４４  キャパシタ、５１  第１の出力整合回路、５２  第２の出力整合回路、６０  広帯域化回路、６１  伝送線路、６２  オープンスタブ、６３  接続点、７１  第１の伝送線路、７２  第２の伝送線路、８０  信号源、８１  第１の入力信号源、８２  第２の入力信号源。
【図１】
0006972431.tif 000004
【図２】
0006972431.tif 000005
【図３】
0006972431.tif 000006
【図４】
0006972431.tif 000007
【図５】
0006972431.tif 000008
【図６】
0006972431.tif 000009
【図７】
0006972431.tif 000010
【図８】
0006972431.tif 000011
【図９】
0006972431.tif 000012
【図１０】
0006972431.tif 000013
【図１１】
0006972431.tif 000014
【図１２】
0006972431.tif 000015
【図１３】
0006972431.tif 000016
【図１４】
0006972431.tif 000017
【図１５】
0006972431.tif 000018
【図１６】
0006972431.tif 000019
【図１７】
0006972431.tif 000020